(57)【要約】      （修正有）【課題】冷蔵庫扉の開閉を検知する扉開閉検知装置を備えた冷蔵庫において、扉の清掃性及び美観を向上させることのできる冷蔵庫を提供する。【解決手段】前面に開口部が形成された冷蔵庫本体と、開口部を閉塞する扉と、扉の開閉を検知する扉開閉検知装置とを備え、扉開閉検知装置は、扉に設けられた磁石５２と、冷蔵庫本体に設けられ磁石５２の磁束を検出するセンサとを備え、扉は、庫外側に設けられた扉面材と、庫内側に設けられ扉面材との間に断熱空間Ｓを区画する扉内板と、断熱空間Ｓに設けられた断熱部材と、断熱空間Ｓの上方又は下方を区画するキャップ部材３３とを備え、キャップ部材３３は、磁石５２を収納する磁石収納部３９を備え、磁石収納部３９がキャップ部材３３の外面から外方へ突出していない。【選択図】図４
2017053606.tif 000002
【特許請求の範囲】
【請求項１】
前面に開口部が形成された冷蔵庫本体と、前記開口部を閉塞する扉と、前記扉の開閉を検知する扉開閉検知装置とを備え、
前記扉開閉検知装置は、前記扉に設けられた磁石と、前記冷蔵庫本体に設けられ前記磁石の磁束を検出するセンサとを備え、
前記扉は、庫外側に設けられた扉面材と、庫内側に設けられ前記扉面材との間に断熱空間を区画する扉内板と、前記断熱空間に設けられた断熱部材と、前記断熱空間の上方又は下方を区画するキャップ部材とを備え、
前記キャップ部材は、前記磁石を収納する磁石収納部を備え、前記磁石収納部が前記キャップ部材の外面から外方へ突出していない冷蔵庫。
【請求項２】
前記キャップ部材は、前記冷蔵庫本体との対向面に前記磁石を前記磁石収納部へ挿入可能な挿入孔を備える請求項１に記載の冷蔵庫。
【請求項３】
前記キャップ部材は、前記挿入孔の周縁部の前記冷蔵庫本体側に前記挿入孔内方へ向けて突出する係止部と、前記挿入孔の周縁部の前記断熱空間側に前記磁石を上下に挟持する保持部とを備える請求項２に記載の冷蔵庫。
【請求項４】
前記キャップ部材は、前記断熱空間側に板厚を薄くして陥没する凹部を備え、前記凹部に前記磁石が収納されている請求項１〜３のいずれか１項に記載の冷蔵庫。
【請求項５】
前記キャップ部材は、前記断熱空間側へ陥没する手掛け部を備え、
前記手掛け部は、冷蔵庫幅方向に沿って延び冷蔵庫幅方向において前後方向の長さが変化し、
前記磁石収納部は、前記手掛け部において前後方向の長さが最も長い位置から冷蔵庫幅方向にずれた位置に設けられている請求項１〜４のいずれか１項に記載の冷蔵庫。
【請求項６】
前記キャップ部材は、前記冷蔵庫本体との対向面に前記磁石収納部に収納された前記磁石を外側から視認可能な窓部を備える請求項１〜５のいずれか１項に記載の冷蔵庫。
【発明の詳細な説明】
【技術分野】
【０００１】
本発明は、冷蔵庫に関する。
【背景技術】
【０００２】
冷蔵庫には、貯蔵室内を照明する庫内灯や庫内空気を循環させるファンなどを冷蔵庫扉の開閉に基づき制御するため、冷蔵庫扉の開閉を検知する扉開閉検知装置を設けたものがある。
【０００３】
この扉開閉検知装置は、扉に設けられた磁石と、冷蔵庫本体に設けられたホールＩＣ等のセンサとを備え、冷蔵庫扉が閉められた時にセンサが磁石の磁束を検知し、冷蔵庫扉が開扉されるとセンサにおいて扉に設けられた磁石からの磁束の減少を検知し、これにより冷蔵庫扉の開閉を検知する。
【０００４】
しかしながら、上記のような扉開閉検知装置を備えた冷蔵庫では、磁石を収納する磁石収納部が外側に突出するよう扉に設けられているため、扉が清掃しにくくなるとともに扉の美観を損ねることがある。
【先行技術文献】
【特許文献】
【０００５】
【特許文献１】特開平８−３０３９４５号公報
【特許文献２】特開２００９−１２１７４２号公報
【発明の開示】
【発明が解決しようとする課題】
【０００６】
そこで、冷蔵庫扉の開閉を検知する扉開閉検知装置を備えた冷蔵庫において、扉の清掃性及び美観を向上させることのできる冷蔵庫を提供する。
【課題を解決するための手段】
【０００７】
本実施形態の冷蔵庫は、前面に開口部が形成された冷蔵庫本体と、前記開口部を閉塞する扉と、前記扉の開閉を検知する扉開閉検知装置とを備え、前記扉開閉検知装置は、前記扉に設けられた磁石と、前記冷蔵庫本体に設けられ前記磁石の磁束を検出するセンサとを備え、前記扉は、庫外側に設けられた扉面材と、庫内側に設けられ前記扉面材との間に断熱空間を区画する扉内板と、前記断熱空間に設けられた断熱部材と、前記断熱空間の上方又は下方を区画するキャップ部材とを備え、前記キャップ部材は、前記磁石を収納する磁石収納部を備え、前記磁石収納部が前記キャップ部材の外面から外方へ突出していないものである。
【図面の簡単な説明】
【０００８】
【図１】本発明の一実施形態に係る冷蔵庫の開扉状態における斜視図である。
【図２】冷蔵庫の断面図である。
【図３】下段冷凍室扉の断面図である。
【図４】図３の要部を拡大して示す図である。
【図５】下段冷凍室扉の平面図である。
【図６】図４のＡ−Ａ断面図である。
【発明を実施するための最良の形態】
【０００９】
以下、図面に基づいて本発明の一実施形態について説明する。
【００１０】
本実施形態に係る冷蔵庫１０は、前面に開口部１１１が形成された断熱箱体からなる冷蔵庫本体１１の内部に貯蔵空間が形成されている。この冷蔵庫本体１１は、鋼板からなる外箱１２と貯蔵空間を形成する内箱１３との間に真空断熱材や発泡断熱材など断熱部材１４を設けて構成されている。
【００１１】
冷蔵庫本体１１は内部が複数に区画され、前面に開口部を有する複数の貯蔵室を備えて構成される。具体的には、冷蔵庫本体１１は、最上部に位置して容積が最も大きい冷蔵室１５と、この冷蔵室１５の下方に設けられた野菜室１６と、野菜室１６の下方に断熱仕切壁２４を介して左右に並べて設けられた製氷室１７及び上段冷凍室１８と、製氷室１７及び上段冷凍室１８の下方に設けられた下段冷凍室１９とを備えて構成されている。
【００１２】
冷蔵庫本体１１の前面に形成された開口部１１１には、複数の枠部材、この例では、上段横枠部材２０、中段横枠部材２１、下段横枠部材２２、及び縦枠部材２３が設けられ各貯蔵室１５，１６，１７、１８、１９の前部を区画している。開口部１１１に設けられた複数の枠部材２０、２１，２２，２３は、例えば鋼板などを折り曲げることにより、背面が閉塞又は開放された角管状に構成されている。枠部材２０〜２３の内部には、例えば発砲スチロールやスポンジ、発泡ウレタンなどの断熱性を有する部材と、後述する扉開閉検知装置５０の一部を構成するセンサ５１が設けられている。
【００１３】
冷蔵庫本体１１の内部に区画形成された各貯蔵室１５，１６，１７、１８、１９の前面開口部は、扉２６，２７，２８，２９，３０によって開閉可能に閉塞されている。具体的には、冷蔵室１５の前面開口部は、冷蔵庫本体１１の左右両側に設けられたヒンジ２５により回動自在に枢支された左右一対の回動式の冷蔵室扉２６により閉塞されている。また、野菜室１６、製氷室１７、上段冷凍室１８及び下段冷凍室１９の前面開口部は、引き出し式の野菜室扉２７，製氷室扉２８，上段冷凍室扉２９，及び下段冷凍室扉３０によりそれぞれ閉塞されている。
【００１４】
製氷室１７及び上段冷凍室１８の背部には、冷却器６０と、冷却器６０で冷却された空気を各貯蔵室１５，１６，１７、１８、１９に送風する冷却器ファン６１とを収納する冷却器室６２が配設されている。冷却器６０は、冷蔵庫本体１１の背面下部に設けた圧縮機６３や凝縮器６４や不図示の減圧装置とともに冷凍サイクルを構成し、圧縮機６３から吐出された冷媒が凝縮器６４及び減圧装置を介して冷却器６０に供給されることで冷却され、冷却器室６２内の空気を冷却する。冷却器６０で冷却された空気は、冷却器ファン６１によりダクト６５、６６を介して各貯蔵室１５，１６，１７、１８、１９に導入され、各貯蔵室を所定の温度に冷却する。
【００１５】
次に、貯蔵室１５，１６，１７、１８、１９の前面開口部を閉塞する扉２６，２７，２８，２９，３０の構成について説明する。なお、この実施形態では、各扉は、大きさ及び形状が異なっているが、基本的な構成が共通しているため、ここでは下段冷凍室扉３０について説明する。
【００１６】
下段冷凍室扉３０は、図３〜図５に示すように、扉面材３１、扉内板３２、上キャップ部材３３及び下キャップ部材３４から外郭を構成し、その内部に真空断熱材や発泡断熱材などの断熱部材３５を配設する断熱空間Ｓが形成されている。
【００１７】
扉面材３１は、鋼板を所定形状に成型してなり、下段冷凍室１９の前面開口部を閉塞した時に冷蔵庫１０の外表面の一部を構成する。扉面材３１の左右側縁部は、後方へ向けて折れ曲がり下段冷凍室扉３０を構成する扉側面部３１ａが形成されている。
【００１８】
扉内板３２は、合成樹脂を所定の平板形状に成型してなり、扉面材３１より後方に間隔をあけて設けられ扉面材３１との間で断熱空間Ｓを形成する。扉内板３２の周縁部には、下段冷凍室１９の前面開口部の周縁と対向する位置にガスケット保持部３２ａが設けられている。このガスケット保持部３２ａにガスケット３６が取り付けられ下段冷凍室扉３０と下段冷凍室１９内部との隙間をシールする。扉内板３２は、左右側縁部が扉側面部３１ａの後端部と接合され、上端部及び下端部が扉面材３１と離間している。
【００１９】
上キャップ部材３３は、合成樹脂成形品からなり、扉面材３１及び扉内板３２の上端部と接合され、断熱空間Ｓの上方を区画するとともに下段冷凍室扉３０の上面を構成する。
【００２０】
上キャップ部材３３の前側（扉面材３１側）には、断熱空間Ｓ側に向けて（下方に向けて）陥没する手掛け部３７が設けられている。手掛け部３７は、図５に示すように、冷蔵庫幅方向に沿って延び冷蔵庫幅方向において前後方向の長さ（溝幅）が変化する凹溝形状をなしており、この例では、冷蔵庫幅方向の中央部の溝幅が大きく、左右の側端部に向かうほど後側（扉内板３２側）の溝壁３７ａが前側（扉面材３１側）の溝壁３７ｂに近づき溝幅が漸次狭くなるように、手掛け部３７の溝幅が変化している。
【００２１】
手掛け部３７の後方は、前側の溝壁３７ｂに比べて上方に隆起する隆起部３８が形成されている。隆起部３８は、下段冷凍室１９の前面開口部の上縁部を構成する下段横枠部材２２と対向する。この隆起部３８の断熱空間Ｓ側には、下段横枠部材２２に設けたセンサ５１とともに扉開閉検知装置５０を構成する磁石５２が収納されている。
【００２２】
具体的には、図４〜図６に示すように、上キャップ部材３３は、手掛け部３７において溝幅が最も長い冷蔵庫幅方向の中央部を避けて冷蔵庫幅方向にずれた位置に磁石５２を収納する磁石収納部３９が設けられている。
【００２３】
この磁石収納部３９は、キャップ部材３３の外面から外方へ突出していない、つまり、キャップ部材３３の上面や後面（冷蔵庫本体１１の下段横枠部２２と前後方向に対向する面）４０から上方や後方へ突出しておらず、これにより、キャップ部材３３の上面及び後面が平坦な形状をなしている。
【００２４】
磁石収納部３９は、上キャップ部材３３の断熱空間Ｓ側に設けられた上方へ陥没する凹部からなり、この例では、上キャップ部材３３の板厚が他の部分より肉薄になるように板厚を薄くすることで形成された凹部からなる。
【００２５】
上キャップ部材３３の後面４０には、磁石収納部３９の後方位置に該後面４０を貫通する挿入孔４１が設けられており、磁石５２を挿入孔４１から磁石収納部３９へ挿入することができるようになっている。
【００２６】
図４に示すように、挿入孔４１の周縁部は、冷蔵庫本体１１側に挿入孔４１の内方（この例では、上方）へ突出する係止部４２が設けられ、係止部４２において挿入孔４１の上下方向の寸法が磁石５２の上下方向の寸法より小さくなっている。係止部４２は、冷蔵庫本体１１側に行くほど挿入孔４１の上下方向の寸法が大きくなるように角を丸めた曲面形状をなしている。これにより、磁石５２の挿入時に挿入孔４１が押し広げられ磁石収納部３９へ磁石５２を容易に挿入でき、挿入後は磁石５２の後端を保持する。
【００２７】
また、挿入孔４１の周縁部は、係止部４２の断熱空間Ｓ側が保持部４３をなしている。この保持部４３は、磁石収納部３９に収納された磁石５２を磁石収納部３９との間で上下に挟持することでこれを保持する。
【００２８】
下キャップ部材３４は、合成樹脂成形品からなり、扉面材３１及び扉内板３２の下端部と接合され、断熱空間Ｓの下方を区画するとともに下段冷凍室扉３０の下面を構成する。
【００２９】
そして、磁石５２とともに扉開閉検知装置５０を構成するセンサ５１は、磁石５２の磁束を検出するホール素子からなり、上キャップ部材３３の磁石収納部３９に収納された磁石５２と前後方向に対向するように下段横枠部材２２の内部に設けられている。扉開閉検知装置５０は、センサ５１が下段冷凍室扉３０の開閉に伴って磁石５２が近接離隔することにより生じる磁束の変化を検出することで下段冷凍室扉３０の開閉を検知する。
【００３０】
以上のような本実施形態の冷蔵庫１０では、磁石５２を収納する磁石収納部３９が、下段冷凍室扉３０の上面を構成する上キャップ部材３３の外面から外方へ突出していないため、扉の外表面から不要な出っ張りがなくなり清掃性に優れるとともに美観を向上させることができる。
【００３１】
また、本実施形態の冷蔵庫１０では、上キャップ部材３３の後面４０に設けられた挿入孔４１から磁石収納部３９へ磁石を挿入することができるため、磁石５２を簡便に磁石収納部３９に収納することができる。しかも、挿入孔４１は、磁石収納部３９へ挿入された磁石５２を扉３０の外側から視認する窓部として機能するため、扉３０を組み立てた後に磁石５２が磁石収納部３９の所定位置に収納されている確認することができ、確認することができ、万一、磁石５２の未挿入や半挿入といった不具合があっても扉３０の組み立てた後に磁石収納部３９へ磁石５２を挿入することができる。
【００３２】
しかも、本実施形態では挿入孔４１の周縁部に係止部４２及び保持部４３が設けられているため、挿入孔４１から磁石収納部３９に挿入された磁石５２が、係止部４２及び保持部４３によって保持され、磁石収納部３９より抜け出ることがない。
【００３３】
また、冷蔵庫１０では、手掛け部３７の溝幅が最も長い冷蔵庫幅方向の中央部から冷蔵庫幅方向にずれた位置に磁石収納部３９が設けられているため、比較的大きな磁石５２を収納するスペースを確保することができ、扉開閉検知装置５０の検出感度を上げることができる。
【００３４】
なお、上記した実施形態では、上キャップ部材３３に磁石収納部３９を設ける場合について説明したが、下キャップ部材３４に磁石収納部３９を設けてもよい。
【００３５】
また、本実施形態では、上キャップ部材３３の後面４０に設けた挿入孔４１から磁石５２を磁石収納部３９へ挿入する場合について説明したが、後面４０に挿入孔４１を設けることなく、上キャップ部材３３を扉面材３１及び扉内板３２に接合する前に磁石５２を断熱空間Ｓ側から磁石収納部３９に収納し、その後、上キャップ部材３３を扉面材３１及び扉内板３２に接合してもよい。その場合、磁石収納部３９の後方位置に上キャップ部材３３の後面４０を貫通する窓部を設け、該窓部を介して磁石収納部３９へ挿入された磁石５２を扉３０の外側から視認するように構成してもよい。
【００３６】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３７】
１０…冷蔵庫、１１…冷蔵庫本体、１５…冷蔵室、１６…野菜室、１７…製氷室、１８…上段冷凍室、１９…下段冷凍室、２２…下段横枠部材、２６…冷蔵室扉、２７…野菜室扉、２８…製氷室扉、２９…上段冷凍室扉、３０…下段冷凍室扉、３１…扉面材、３１ａ…扉側面部、３２…扉内板、３２ａ…ガスケット保持部、３３…上キャップ部材、３４…下キャップ部材、３５…断熱部材、３６…ガスケット、３７…手掛け部、３８…隆起部、３９…磁石収納部、４０…後面、４１…挿入孔、４２…係止部、４３…保持部、５０…扉開閉検知装置、５１…センサ、５２…磁石
【図１】
2017053606.tif 000003
【図２】
2017053606.tif 000004
【図３】
2017053606.tif 000005
【図４】
2017053606.tif 000006
【図５】
2017053606.tif 000007
【図６】
2017053606.tif 000008